Podtech/llm-jp-corpus-v4-ja_patent huggingface dataset:
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
遊技者にとって有利な有利状態と、前記有利状態と異なる状態である特殊状態と、に制御可能な遊技機であって、
第１識別情報の可変表示と第２識別情報の可変表示とを並行して実行可能な可変表示実行手段と、
非特別状態に比べて前記特殊状態に制御されやすい特別状態に制御可能な特別状態制御手段と、
前記特別状態中に制御された前記有利状態において付与された遊技価値に関する情報と、該有利状態に制御されるまでの可変表示回数に関する情報と、を含む特定表示を表示可能な表示手段と、
特定演出を実行可能な特定演出実行手段と、を備え、
前記特別状態は、第１識別情報の可変表示と第２識別情報の可変表示とのいずれか一方の可変表示は他方の可変表示に比べて前記特殊状態に制御されやすく、
前記特別状態は、前記一方の可変表示に関連して前記特定演出が実行される場合に前記特定表示の表示が制限され、
リーチ演出が実行されるときに前記特殊状態に制御しない、
ことを特徴とする遊技機。
【手続補正２】
【補正対象書類名】明細書
【補正対象項目名】０００９
【補正方法】変更
【補正の内容】
【０００９】
（１）上記目的を達成するため、本願発明に係る遊技機は、遊技者にとって有利な有利状態（例えば、大当り遊技状態）と、有利状態と異なる状態である特殊状態（例えば、小当り遊技状態）と、に制御可能な遊技機であって、第１識別情報の可変表示と第２識別情報の可変表示（例えば、第１特別図柄の変動表示と第２特別図柄の変動表示）とを並行して実行可能な可変表示実行手段と、非特別状態に比べて特殊状態に制御されやすい特別状態（例えば、第２ＫＴ状態）に制御可能な特別状態制御手段と、特別状態中に制御された有利状態において付与された遊技価値に関する情報と、該有利状態に制御されるまでの可変表示回数に関する情報と、を含む特定表示を表示可能な表示手段（例えば、発生した大当りに対応する履歴アイコン画像１５８Ｆ００２（獲得数表示と変動回数表示とを含む）を表示する。図９−３８参照）と、特定演出（例えば、スーパーリーチ演出）を実行可能な特定演出実行手段と、を備え、特別状態は、第１識別情報の可変表示と第２識別情報の可変表示とのいずれか一方の可変表示は他方の可変表示に比べて特殊状態に制御されやすく（例えば、第２特別図柄の変動表示は、第１特別図柄の変動表示に比べて小当り遊技状態に制御される契機となりやすい。図９−３、図９−４参照）、特別状態は、一方の可変表示に関連して特定演出が実行される場合に特定表示の表示が制限され（例えば、演出制御用ＣＰＵがステップ０７７ＩＷＳ００１，Ｓ００３を実行する部分。図９−３９参照）、リーチ演出が実行されるときに前記特殊状態に制御しない、ことを特徴とする。
そのような構成によれば、好適に情報を表示することにより遊技者を不快にさせてしまうことを防止することができる。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１光源の光により発光する第１発光部と、
第２光源の光により発光する第２発光部と、
前記第２発光部へ導光可能な第１導光手段と、
前記第１導光手段へ導光可能な第２導光手段と、
を備え、
前記第２導光手段は、
前記第１光源の光が前記第１導光手段へ導光されて前記第２発光部が発光しないように該第１光源の光を前記第１発光部へ導光し、
前記第２光源の光により前記第１発光部が発光しないように該第２光源の光を前記第１導光手段へ導光し、
前記第２発光部は、前記第１発光部に隣接して配置される
ことを特徴とする遊技機。
【手続補正２】
【補正対象書類名】明細書
【補正対象項目名】０００７
【補正方法】変更
【補正の内容】
【０００７】
手段Ａの遊技機は、
遊技が可能な遊技機であって、
第１光源の光により発光する第１発光部と、
第２光源の光により発光する第２発光部と、
前記第２発光部へ導光可能な第１導光手段と、
前記第１導光手段へ導光可能な第２導光手段と、
を備え、
前記第２導光手段は、
前記第１光源の光が前記第１導光手段へ導光されて前記第２発光部が発光しないように該第１光源の光を前記第１発光部へ導光し、
前記第２光源の光により前記第１発光部が発光しないように該第２光源の光を前記第１導光手段へ導光し、
前記第２発光部は、前記第１発光部に隣接して配置される
ことを特徴としている。
手段１の遊技機は、
遊技が可能な遊技機（例えば、パチンコ遊技機１等）であって、
第１光源（例えば、第１ＬＥＤ３０２Ａ等）の光により発光する第１発光部（例えば、発光部材３０６の前面部３０６ａ等）と、
第２光源（例えば、第２ＬＥＤ３０２Ｂ等）の光により発光する第２発光部（例えば、枠部材３０８の縁部３０８ｄ等）と、
前記第２発光部へ導光可能な第１導光手段（例えば、第１拡散レンズ３０３等）と、
前記第１導光手段へ導光可能な第２導光手段（例えば、仕切部材３０４等）と、
を備え、
前記第２導光手段は、
前記第１光源の光が前記第１導光手段へ導光されて前記第２発光部が発光しないように該第１光源の光を前記第１発光部へ導光し、
前記第２光源の光により前記第１発光部が発光しないように該第２光源の光を前記第１導光手段へ導光する（例えば、仕切部材３０４は、第１ＬＥＤ３０２Ａの光が第１拡散レンズ３０３へ導光されて枠部材３０８の縁部３０８ｄが発光しないように該第１ＬＥＤ３０２Ａの光を発光部材３０６の前面部３０６ａへ導光し、第２ＬＥＤ３０２Ｂの光により発光部材３０６の前面部３０６ａが発光しないように該第２ＬＥＤ３０２Ｂの光を第１拡散レンズ３０３へ導光する。図２５参照。）
ことを特徴としている。
この特徴によれば、第２導光手段が第１光源と第２光源との光を混合しないように仕切りつつ個別に導光できるので、演出効果を高めることができる一方で、第２光源の光を第１導光手段を介して第２発光部へ導光するため、第２光源の配置自由度が向上する。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
駆動源と、
前記駆動源の動力を伝達する動力伝達手段と、
前記駆動源の動力が前記動力伝達手段により伝達されることにより第１位置から第２位置へ動作する可動体と、
を備え、
前記動力伝達手段は、前記駆動源の動力により回動する回動伝達部材を有し、
前記可動体は、前記回動伝達部材に一端側が回動可能に軸支され、該回動伝達部材の回動動作に応じて前記第１位置から前記第２位置まで動作するものであり、
前記遊技機は、前記可動体が前記第１位置と前記第２位置とのうち少なくとも一方に位置したときに該可動体の他端側に当接可能な受部をさらに備え、
前記可動体は、前記第１位置と前記第２位置とのうち少なくとも一方に位置したときに該可動体の他端側が遊技者側から視認容易である
ことを特徴とする遊技機。
【手続補正２】
【補正対象書類名】明細書
【補正対象項目名】０００７
【補正方法】変更
【補正の内容】
【０００７】
手段Ａの遊技機は、
遊技が可能な遊技機であって、
駆動源と、
前記駆動源の動力を伝達する動力伝達手段と、
前記駆動源の動力が前記動力伝達手段により伝達されることにより第１位置から第２位置へ動作する可動体と、
を備え、
前記動力伝達手段は、前記駆動源の動力により回動する回動伝達部材を有し、
前記可動体は、前記回動伝達部材に一端側が回動可能に軸支され、該回動伝達部材の回動動作に応じて前記第１位置から前記第２位置まで動作するものであり、
前記遊技機は、前記可動体が前記第１位置と前記第２位置とのうち少なくとも一方に位置したときに該可動体の他端側に当接可能な受部をさらに備え、
前記可動体は、前記第１位置と前記第２位置とのうち少なくとも一方に位置したときに該可動体の他端側が遊技者側から視認容易である
ことを特徴としている。
手段１の遊技機は、
遊技が可能な遊技機（例えば、パチンコ遊技機１）であって、
駆動源（例えば、第１演出用モータ４０７等）と、
前記駆動源の動力を伝達する動力伝達手段（例えば、第１ギヤ４０８〜第３ギヤ４１０、アーム４０３等）と、
前記駆動源の動力が前記動力伝達手段により伝達されることにより第１位置（例えば、待機位置等）から第２位置（例えば、演出位置等）へ動作する可動体（例えば、可動体４０４等）と、
を備え、
前記動力伝達手段は、前記駆動源の動力により回動する回動伝達部材（例えば、アーム４０３等）を有し、
前記可動体は、前記回動伝達部材に一端側が回動可能に軸支され、該回動伝達部材の回動動作に応じて前記第１位置から前記第２位置まで作動するものであり（例えば、可動体４０４は、アーム４０３に対して回動しながら該アーム４０３の回動動作に応じて待機位置と演出位置との間を作動する。）、
前記遊技機は、前記可動体が前記第１位置と前記第２位置とのうち少なくとも一方に位置したときに該可動体の他端側に当接可能な受部をさらに備える（例えば、可動体４０４が演出位置から待機位置に移動したときに、該可動体４０４の他端４０４Ａが受部４０３ｄに接触する。図３３参照。）
ことを特徴としている。
この特徴によれば、回動伝達部材に一端側が回動可能に軸支された可動体は、第１位置や第２位置にて他端側が受部に当接することで安定して支持することができる。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御されることを示唆する第１演出と、前記有利状態に制御されることを示唆する演出であって前記第１演出とは異なる第２演出と、を実行可能な演出実行手段と、
前記第１演出が実行されることを示唆する第１示唆演出と、前記第２演出が実行されることを示唆する第２示唆演出と、を実行可能な示唆演出実行手段と、を備え、
前記示唆演出実行手段は、
複数種類の前記第１示唆演出を実行可能であるとともに、複数種類の前記第２示唆演出を実行可能であり、
前記第１示唆演出と前記第２示唆演出とを重複するように実行可能であり、
いずれの前記第１示唆演出が実行されるかに応じて、実行される前記第２示唆演出の選択割合が異なる、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（例えば大当り遊技状態）に制御可能な遊技機（例えばパチンコ遊技機１）であって、
前記有利状態に制御されることを示唆する第１演出（例えば先読ゾーン演出）と、前記有利状態に制御されることを示唆する演出であって前記第１演出とは異なる第２演出と、を実行可能（例えば保留変化予告）な演出実行手段（例えばステップＳ１６１、Ｓ１７２の処理を実行する演出制御用ＣＰＵ１２０）と、
前記第１演出が実行されることを示唆する第１示唆演出（例えば図８−１）と、前記第２演出が実行されることを示唆する第２示唆演出（例えば図８−２）と、を実行可能な示唆演出実行手段（例えばステップＳ１６１、Ｓ１７２の処理を実行する演出制御用ＣＰＵ１２０）と、を備え、
前記示唆演出実行手段は、
複数種類の前記第１示唆演出（例えば第１示唆演出Ａ、第１示唆演出Ｂ）を実行可能であるとともに、複数種類の前記第２示唆演出（例えば第２示唆演出Ａ、第２示唆演出Ｂ）を実行可能であり、
前記第１示唆演出と前記第２示唆演出とを重複するように実行可能であり、
いずれの前記第１示唆演出が実行されるかに応じて、実行される前記第２示唆演出の選択割合が異なる（例えば図８−７（Ｃ））。
このような構成によれば、遊技の興趣を向上させることができる。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
可変表示の表示結果が特定表示結果となったことに基づいて遊技者にとって有利な有利状態に制御可能な遊技機であって、
装飾識別情報を可変表示可能な装飾識別情報可変表示手段と、
装飾識別情報の可変表示に対応して特定識別情報を可変表示可能な特定識別情報可変表示手段と、
複数の可変表示領域に特殊装飾識別情報が仮停止したことに基づいて、仮停止後の可変表示において特別演出を実行可能な特別演出実行手段と、を備え、
前記特定識別情報可変表示手段は、複数種類の特殊装飾識別情報に対応して一の特定識別情報を表示可能である、遊技機。
【手続補正２】
【補正対象書類名】明細書
【補正対象項目名】０００６
【補正方法】変更
【補正の内容】
【０００６】
（１）可変表示（特別図柄、飾り図柄、小図柄等）の表示結果が特定表示結果となったことに基づいて遊技者にとって有利な有利状態（大当り遊技状態等）に制御可能な遊技機（パチンコ遊技機１等）であって、
装飾識別情報（飾り図柄５１，５２，５３等）を可変表示可能な装飾識別情報可変表示手段（飾り図柄表示領域５０）と、
装飾識別情報の可変表示に対応して特定識別情報（小図柄６１，６２，６３等）を可変表示可能な特定識別情報可変表示手段（小図柄表示結果領域６０等）と、
複数の可変表示領域に特殊装飾識別情報が仮停止したこと（図８−３（Ｃ），（Ｆ）等）に基づいて、仮停止後の可変表示において特別演出（図８−３（Ｄ）の第１ＳＰ演出、図８−３（Ｇ）の第２ＳＰ演出等）を実行可能な特別演出実行手段と、を備え、
前記特定識別情報可変表示手段は、複数種類の特殊装飾識別情報（第１ブランク図柄「△」，第２ブランク図柄「☆」等）に対応して一の特定識別情報（小図柄「△」等）を表示可能である（図８−１（Ｂ）、図８−３（Ｅ），（Ｈ）等）。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
可変表示に対応する特定表示を表示可能な特定表示手段と、
遊技者の動作により動作演出を実行可能な動作演出実行手段と、
遊技者の動作を促す動作促進表示を実行可能な動作促進表示実行手段と、
前記動作演出に関連する動作関連表示を表示可能な動作関連表示手段と、を備え、
前記動作関連表示の表示態様として第１態様と第２態様とを含む複数の態様があり、
前記動作関連表示が前記第２態様で表示されたときに、前記動作関連表示が前記第１態様で表示されたときよりも前記有利状態に制御される割合が高く、
前記動作関連表示手段は、前記動作関連表示の表示態様を変化させることが可能であり、前記動作関連表示の表示態様を変化させるときに、前記特定表示に関連する特定関連表示を表示させることが可能である、
ことを特徴とする遊技機。
【手続補正２】
【補正対象書類名】明細書
【補正対象項目名】０００６
【補正方法】変更
【補正の内容】
【０００６】
手段Ｚ１の遊技機は、
可変表示（特別図柄の変動表示、飾り図柄の変動表示）を実行し、遊技者にとって有利な有利状態（大当り遊技状態）に制御可能な遊技機（パチンコ遊技機１）であって、
可変表示に対応する特定表示（保留表示）を表示可能な特定表示手段（演出制御用ＣＰＵ１２０）と、
遊技者の動作により動作演出（カットイン予告演出、結果報知演出）を実行可能な動作演出実行手段（演出制御用ＣＰＵ１２０）と、
遊技者の動作を促す動作促進表示を実行可能な動作促進表示実行手段と、
前記動作演出に関連する動作関連表示（動作関連表示０４ＴＭ００１）を表示可能な動作関連表示手段（演出制御用ＣＰＵ１２０）と、を備え、
前記動作関連表示の表示態様として第１態様（通常態様）と第２態様（第２特別態様）とを含む複数の態様があり、
前記動作関連表示が前記第２態様で表示されたときに、前記動作関連表示が前記第１態様で表示されたときよりも前記有利状態に制御される割合が高く（図１１−８（Ａ）に示すように、第１特別態様〜第３特別態様の動作関連表示の方が、通常態様の動作関連表示よりも、大当りの期待度が高く）、
前記動作関連表示手段は、前記動作関連表示の表示態様を変化させることが可能であり、前記動作関連表示の表示態様を変化させるときに、前記特定表示に関連する特定関連表示を表示させることが可能である（図１１−１５（７）〜（１０）に示すように、保留表示の最終シフト時の表示態様が第２特定態様（剣形）である場合には、当該保留表示（予告対象）に対応した変動表示が実行されたときに第３変化示唆演出（剣）を実行する。保留表示の最終シフト時の表示態様が第１特定態様（ハンマー形）である場合には、当該保留表示（予告対象）に対応した変動表示が実行されたときに第２変化示唆演出（ハンマー）を実行する。保留表示の最終シフト時の表示態様が通常態様（丸形）である場合には、当該保留表示（予告対象又は非予告対象）に対応した変動表示が実行されたときに第１変化示唆演出（武器無し）を実行するか又は何れの変化示唆演出も実行しない。）
ことを特徴とする。
このような構成によれば、動作関連表示の変化と特定表示とに関連を持たせて、興趣を向上させることができる。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
第１異常と、該第１異常よりも重要度が高い第２異常と、を検出可能な異常検出手段と、
遊技に関する異常の履歴情報を記憶可能な履歴記憶手段と、
前記履歴記憶手段が記憶する履歴情報を特定可能に表示可能な履歴表示手段と、を備え、
前記履歴記憶手段は、前記異常検出手段によって前記第２異常が検出された場合に該第２異常が検出されたことを示す情報を履歴情報として記憶する一方、前記異常検出手段によって前記第１異常が検出された場合に該第１異常が検出されたことを示す情報を履歴情報として記憶せず、
前記異常検出手段は、複数種類の前記第１異常および前記第２異常を検出可能であり、前記第１異常および前記第２異常の種類毎に異なる検出条件により、前記第１異常および前記第２異常を検出する、
ことを特徴とする遊技機。
【手続補正２】
【補正対象書類名】明細書
【補正対象項目名】００１１
【補正方法】変更
【補正の内容】
【００１１】
（手段１）本発明による遊技機は、遊技を行うことが可能な遊技機であって、第１異常（例えば、第１左打ち報知状態）と、該第１異常よりも重要度が高い第２異常（例えば、第２左打ち報知状態）と、を検出可能な異常検出手段（例えば、第２演出制御用ＣＰＵ０１２ＩＷ１２０ｂにおけるステップ０１２ＩＷＳ１０７，Ｓ１１１を実行する部分）と、遊技に関する異常の履歴情報を記憶可能な履歴記憶手段（例えば、ＲＡＭ０１２ＩＷ１２２ｂのログ領域）と、履歴記憶手段が記憶する履歴情報を特定可能に表示可能な履歴表示手段（例えば、第２演出制御用ＣＰＵ０１２ＩＷ１２０ｂは、ステップ０１２ＩＷＳ４６４を実行することにより、図８−４０および図８−４１に示すように、メンテナンス履歴画面を表示する）と、を備え、履歴記憶手段は、異常検出手段によって第２異常が検出された場合に該第２異常が検出されたことを示す情報を履歴情報として記憶する一方、異常検出手段によって第１異常が検出された場合に該第１異常が検出されたことを示す情報を履歴情報として記憶せず（例えば、第２演出制御用ＣＰＵ０１２ＩＷ１２０ｂは、ステップ０１２ＩＷＳ１１７を実行することにより、第２左打ち報知状態が発生したときのみログ情報を記録し、第１左報知状態が発生してもログ情報を記録しない）、異常検出手段は、複数種類の第１異常および第２異常を検出可能であり（例えば、第２演出制御用ＣＰＵ０１２ＩＷ１２０ｂは、ステップ０１２ＩＷＳ１０７，Ｓ１１１，Ｓ１３５，Ｓ１３９を実行することにより、第１左打ち報知状態および第２左打ち報知状態に加えて、第１満タン報知状態および第２満タン報知状態を検出する）、第１異常および第２異常の種類ごとに異なる検出条件により、第１異常および第２異常を検出する、ことを特徴とする。そのような構成によれば、好適に履歴情報を記憶し表示することができる。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
遊技領域に遊技媒体を発射して遊技を行うことが可能な遊技機であって、
所定状態に関する関連表示を表示可能な表示手段を備え、
前記表示手段は、
複数の方向に延びるように形成された前記関連表示を表示可能であり、
前記表示手段の表示領域内において文字列が移動するとともに、前記表示手段の表示領域内において該文字列に含まれる全ての文字が常に表示される態様により前記関連表示を表示可能であり、
遊技媒体が流下する流下経路のうちの第１経路に向けて遊技媒体を発射する第１所定状態に関連して、前記表示手段の表示領域内において複数の前記文字列を前記第１経路と対応する方向に向けて移動させる態様により前記関連表示を表示可能であるとともに、前記流下経路のうちの前記第１経路とは異なる第２経路に向けて遊技媒体を発射する第２所定状態に関連して、前記表示手段の表示領域内において複数の前記文字列を前記第２経路と対応する方向に向けて移動させる態様により前記関連表示を表示可能であり、
態様が異なる複数の前記関連表示を並行して表示可能であり、一の前記関連表示を他の前記関連表示に重ねて表示可能である
ことを特徴とする遊技機。
【請求項２】
遊技領域に遊技媒体を発射して遊技を行うことが可能な遊技機であって、
所定状態に関する関連表示を表示可能な表示手段を備え、
前記表示手段は、
曲線状に形成された前記関連表示を表示可能であり、
前記表示手段の表示領域内において文字列が移動するとともに、前記表示手段の表示領域内において該文字列に含まれる全ての文字が常に表示される態様により前記関連表示を表示可能であり、
遊技媒体が流下する流下経路のうちの第１経路に向けて遊技媒体を発射する第１所定状態に関連して、前記表示手段の表示領域内において複数の前記文字列を前記第１経路と対応する方向に向けて移動させる態様により前記関連表示を表示可能であるとともに、前記流下経路のうちの前記第１経路とは異なる第２経路に向けて遊技媒体を発射する第２所定状態に関連して、前記表示手段の表示領域内において複数の前記文字列を前記第２経路と対応する方向に向けて移動させる態様により前記関連表示を表示可能であり、
態様が異なる複数の前記関連表示を並行して表示可能であり、一の前記関連表示を他の前記関連表示に重ねて表示可能である
ことを特徴とする遊技機。
【手続補正２】
【補正対象書類名】明細書
【補正対象項目名】００１１
【補正方法】変更
【補正の内容】
【００１１】
（Ａ）本発明による遊技機は、遊技領域に遊技媒体を発射して遊技を行うことが可能な遊技機であって、所定状態に関する関連表示を表示可能な表示手段を備え、表示手段は、複数の方向に延びるように形成された関連表示を表示可能であり、表示手段の表示領域内において文字列が移動するとともに、表示手段の表示領域内において該文字列に含まれる全ての文字が常に表示される態様により関連表示を表示可能であり、遊技媒体が流下する流下経路のうちの第１経路に向けて遊技媒体を発射する第１所定状態に関連して、表示手段の表示領域内において複数の文字列を第１経路と対応する方向に向けて移動させる態様により関連表示を表示可能であるとともに、流下経路のうちの第１経路とは異なる第２経路に向けて遊技媒体を発射する第２所定状態に関連して、表示手段の表示領域内において複数の文字列を第２経路と対応する方向に向けて移動させる態様により関連表示を表示可能であり、態様が異なる複数の関連表示を並行して表示可能であり、一の関連表示を他の関連表示に重ねて表示可能であることを特徴とする。
（１）他の遊技機は、遊技を行う遊技機であって、所定状態に関する関連表示（例えば、演出解説画像２００ｃや演出解説画像２００ｅ）を表示可能な表示手段（例えば、演出表示装置９）を備え、表示手段は、複数の方向に延びるように形成された関連表示を表示可能である（例えば、ジグザグ状の矢印型領域を含む態様により構成された演出解説画像２００ｃや、鉛直方向に延びた領域と水平方向に延びた領域（厳密には、水平方向に延びるように見える平面上に描写された領域）とを含む態様により構成された演出解説画像２００ｅなど。図３５，図３６参照）ことを特徴とする。
そのような構成によれば、関連表示を効果的に表示することができ、演出効果を高めることができる。
【手続補正３】
【補正対象書類名】明細書
【補正対象項目名】００１２
【補正方法】変更
【補正の内容】
【００１２】
（Ｂ）本発明による他の態様の遊技機は、遊技領域に遊技媒体を発射して遊技を行うことが可能な遊技機であって、所定状態に関する関連表示を表示可能な表示手段を備え、表示手段は、曲線状に形成された関連表示を表示可能であり、表示手段の表示領域内において文字列が移動するとともに、表示手段の表示領域内において該文字列に含まれる全ての文字が常に表示される態様により関連表示を表示可能であり、遊技媒体が流下する流下経路のうちの第１経路に向けて遊技媒体を発射する第１所定状態に関連して、表示手段の表示領域内において複数の文字列を第１経路と対応する方向に向けて移動させる態様により関連表示を表示可能であるとともに、流下経路のうちの第１経路とは異なる第２経路に向けて遊技媒体を発射する第２所定状態に関連して、表示手段の表示領域内において複数の文字列を第２経路と対応する方向に向けて移動させる態様により関連表示を表示可能であり、態様が異なる複数の関連表示を並行して表示可能であり、一の関連表示を他の関連表示に重ねて表示可能であることを特徴とする。
（２）他の態様の遊技機は、遊技を行う遊技機であって、所定状態に関する関連表示（例えば、右打ち指示画像２００ａや左打ち指示画像２００ｂ、操作指示画像２００ｄ）を表示可能な表示手段を備え、表示手段は、曲線状に形成された関連表示を表示可能である（例えば、図３３〜図３４，図３７参照）ことを特徴とする。
そのような構成によれば、関連表示を効果的に表示することができ、演出効果を高めることができる。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
遊技媒体が始動領域を通過したことに基づいて変動表示を行ない、遊技者にとって有利な有利状態に制御可能な遊技機であって、
遊技の進行を制御する遊技制御手段と、
前記遊技制御手段から送信される情報に応じて演出を制御する演出制御手段と、
変動表示に関する情報を保留記憶情報として記憶する保留記憶手段と、
可変手段への進入を促進する促進報知を実行可能な促進報知実行手段と、を備え、
前記遊技制御手段は、
遊技媒体が前記始動領域を通過したことを特定可能な第１情報と、
前記保留記憶手段における前記保留記憶情報の記憶数に関する第２情報と、を送信可能であり、
前記保留記憶情報の記憶数が所定の上限数に達した状態で遊技媒体が前記始動領域を通過したときに、前記第１情報を送信するが前記第２情報を送信せず、
前記演出制御手段は、前記保留記憶情報の記憶数が所定の上限数に達した状態で遊技媒体が前記始動領域を通過したときに、前記第１情報を受信したが前記第２情報を受信しなかったことに基づいて、所定演出を実行可能であり、
前記所定演出は、実行中の変動表示と、前記保留記憶手段に記憶された前記保留記憶情報とに関連した特定画像を表示し、該特定画像を前記第１情報に基づいて変化させることにより、前記有利状態に制御される期待度を示唆可能である、遊技機。
【手続補正２】
【補正対象書類名】明細書
【補正対象項目名】０００７
【補正方法】変更
【補正の内容】
【０００７】
（１）  遊技媒体（遊技球等）が始動領域（第２始動入賞口１４等）を通過したことに基づいて変動表示を行ない、遊技者にとって有利な有利状態（大当り遊技状態等）に制御可能な遊技機（パチンコ遊技機１等）であって、
遊技の進行を制御する遊技制御手段（遊技制御用マイクロコンピュータ５６０等）と、
前記遊技制御手段から送信される情報（演出制御コマンド等）に応じて演出を制御する演出制御手段（演出制御用マイクロコンピュータ１００等）と、
変動表示に関する情報を保留記憶情報として所定の上限数となるまで記憶する保留記憶手段（ＲＡＭ５５、第１，第２保留記憶バッファ等）と、
可変手段への進入を促進する促進報知を実行可能な促進報知実行手段と、を備え、
前記遊技制御手段は、
遊技媒体が前記始動領域を通過したことを特定可能な第１情報（図８の第２始動入賞指定コマンド等）と、
前記保留記憶手段における前記保留記憶情報の記憶数に関する第２情報（図８の第２保留記憶数指定コマンド等）と、を送信可能であり（図１１のＳ１２２８，Ｓ１２２９，Ｓ１２３０等）、
前記保留記憶情報の記憶数が所定の上限数に達した状態で遊技媒体が前記始動領域を通過したときに、前記第１情報を送信するが前記第２情報を送信せず（図１１のＳ１２２２，Ｓ１２３０等）、
前記演出制御手段は、前記保留記憶情報の記憶数が所定の上限数（４個のような上限値
等）に達した状態で遊技媒体が前記始動領域を通過したとき（オーバー入賞時）に、前記第１情報を受信したが前記第２情報を受信しなかったことに基づいて、所定演出（図２９（Ｇ），（Ｈ）の昇格演出）を実行可能であり（図３１のＳ６３５，Ｓ６３６等）、
前記所定演出は、実行中の変動表示と、前記保留記憶手段に記憶された前記保留記憶情報とに関連した特定画像を表示し、該特定画像を前記第１情報に基づいて変化させることにより、前記有利状態に制御される期待度を示唆可能である。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
変動表示に関する特定表示を表示可能な特定表示手段と、
前記特定表示の表示態様を複数種類の表示態様に変化させる変化演出を実行可能な変化演出実行手段と、
前記特定表示が表示されているときに、第１特定画像および当該第１特定画像とは異なる第２特定画像を表示可能な画像表示手段と、
前記有利状態に制御されることを報知する報知演出を実行する報知演出実行手段と、
遊技者が操作可能な操作手段と、
前記操作手段の状態を第１状態と第２状態とに制御可能な状態制御手段と、を備え、
前記変化演出実行手段は、
前記第１特定画像による第１変化演出が実行されることに基づいて、前記特定表示の表示態様を変化させる第１変化演出実行手段と、
前記第２特定画像による第２変化演出が実行されることに基づいて、前記第１変化演出とは異なる態様により前記特定表示の表示態様を変化させる第２変化演出実行手段と、を含み、
前記画像表示手段は、前記第１特定画像と前記第２特定画像とを少なくとも同一期間中に表示可能であり、
前記状態制御手段は、
前記報知演出実行手段により実行される前記報知演出の表示態様が第１態様となる第１タイミングにおいて前記操作手段の状態を前記第１状態から前記第２状態に制御し、特定期間経過後に前記操作手段の状態を前記第２状態から前記第１状態に制御し、
前記報知演出実行手段により実行される前記報知演出の表示態様が前記第１態様とは異なる第２態様となる第２タイミングにおいて前記操作手段の状態を前記第１状態から前記第２状態に制御し、所定期間経過後に前記操作手段の状態を前記第２状態から前記第１状態に制御し、
前記特定期間は、前記操作手段の操作状況に応じて変化する期間であり、
前記所定期間は、前記操作手段の操作状況に応じて変化しない期間であり、
前記第１変化演出と前記第２変化演出とは、同一期間中に実行されない、遊技機。
【手続補正２】
【補正対象書類名】明細書
【補正対象項目名】０００６
【補正方法】変更
【補正の内容】
【０００６】
（Ａ）  変動表示を行ない、遊技者にとって有利な有利状態に制御可能な遊技機であって、
変動表示に関する特定表示を表示可能な特定表示手段と、
前記特定表示の表示態様を複数種類の表示態様に変化させる変化演出を実行可能な変化演出実行手段と、
前記特定表示が表示されているときに、第１特定画像および当該第１特定画像とは異なる第２特定画像を表示可能な画像表示手段と、
前記有利状態に制御されることを報知する報知演出を実行する報知演出実行手段と、
遊技者が操作可能な操作手段と、
前記操作手段の状態を第１状態と第２状態とに制御可能な状態制御手段と、を備え、
前記変化演出実行手段は、
前記第１特定画像による第１変化演出が実行されることに基づいて、前記特定表示の表示態様を変化させる第１変化演出実行手段と、
前記第２特定画像による第２変化演出が実行されることに基づいて、前記第１変化演出とは異なる態様により前記特定表示の表示態様を変化させる第２変化演出実行手段と、を含み、
前記画像表示手段は、前記第１特定画像と前記第２特定画像とを少なくとも同一期間中に表示可能であり、
前記状態制御手段は、
前記報知演出実行手段により実行される前記報知演出の表示態様が第１態様となる第１タイミングにおいて前記操作手段の状態を前記第１状態から前記第２状態に制御し、特定期間経過後に前記操作手段の状態を前記第２状態から前記第１状態に制御し、
前記報知演出実行手段により実行される前記報知演出の表示態様が前記第１態様とは異なる第２態様となる第２タイミングにおいて前記操作手段の状態を前記第１状態から前記第２状態に制御し、所定期間経過後に前記操作手段の状態を前記第２状態から前記第１状態に制御し、
前記特定期間は、前記操作手段の操作状況に応じて変化する期間であり、
前記所定期間は、前記操作手段の操作状況に応じて変化しない期間であり、
前記第１変化演出と前記第２変化演出とは、同一期間中に実行されない。
（１）  変動表示を行ない、遊技者にとって有利な有利状態（大当り遊技状態等）に制御可能な遊技機（パチンコ遊技機１等）であって、
変動表示に関する特定表示（保留表示Ｈ、アクティブ表示ＡＨ等）を表示可能な特定表示手段（演出制御用マイクロコンピュータ１００等）と、
前記特定表示の表示態様を複数種類の表示態様に変化させる変化演出（色を変化させる第１変化演出，文字画像６３を付加する第２変化演出等）を実行可能な変化演出実行手段（演出制御用マイクロコンピュータ１００等）と、
前記特定表示が表示されているときに、第１特定画像（第１キャラクタ画像６１等）および当該第１特定画像とは異なる第２特定画像（第２キャラクタ画像６２等）を表示可能な画像表示手段（演出制御用マイクロコンピュータ１００等）とを備え、
前記変化演出実行手段は、
前記第１特定画像（第１キャラクタ画像６１等）による第１変化演出（保留表示Ｈやアクティブ表示ＡＨの色を変化させる演出等）が実行されることに基づいて、前記特定表示の表示態様を変化させる第１変化演出実行手段（図１３（ｃ）、演出制御用マイクロコンピュータ１００等）と、
前記第２特定画像（第２キャラクタ画像６２等）による第２変化演出（保留表示Ｈやアクティブ表示ＡＨに文字画像６３を付加する演出等）が実行されることに基づいて、前記第１変化演出とは異なる態様により前記特定表示の表示態様を変化させる第２変化演出実行手段（図１３（ｄ）、演出制御用マイクロコンピュータ１００等）とを含み、
前記画像表示手段は、前記第１特定画像と前記第２特定画像とを少なくとも同一期間中に表示可能である（図１３に示すように第１キャラクタ画像６１と第２キャラクタ画像６２とを同一期間中に表示可能である等）。
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
培地および細胞を充填する中空状の内層を有する細胞培養容器と、
前記細胞培養容器に取り付けられ、前記培地を循環するための循環ラインと、
前記循環ライン内に設けられ前記細胞培養容器に前記培地を送液する送液ポンプと、
前記循環ライン内に設けられ前記循環ライン内で循環される前記培地に含まれるガスと調整用ガスとのガス交換をするための中空糸膜を有するガス交換手段と、を有し、
前記調整用ガスが、酸素濃度および、窒素濃度、二酸化炭素濃度、湿度からなる群から選択される少なくとも１以上が調整されたガスであり、
前記細胞培養容器が、ポリスチレンおよび、ポリカーボネート、ポリエチレンテレフタレートからなる群から選択される樹脂を用いたものであり、所定の間隔をおいて互いに対面するよう配置された少なくとも２枚の板状部を有し、外部から観察することができ、
前記互いに対面するように配置された２枚の板状部の間隔が、２ｍｍ〜１５ｍｍである細胞培養装置。
【請求項２】
前記ガス交換手段の前記調整用ガスを調整するためのガス調整手段を有する請求項１記載の細胞培養装置。
【請求項３】
前記中空糸膜が、シリコーン製の膜である請求項１または２に記載の細胞培養装置。
【請求項４】
前記循環ラインが開閉弁を有し、前記開閉弁を切り替えることで、前記ガス交換手段を通る循環を停止して、培地を流通させるための配管を有する請求項１〜３のいずれかに記載の細胞培養装置。
【請求項５】
前記細胞培養容器が、積層された板状部を有する請求項１〜４のいずれかに記載の細胞培養装置。
【請求項６】
ポリスチレンおよび、ポリカーボネート、ポリエチレンテレフタレートからなる群から選択される樹脂を用いたものであり、２ｍｍ〜１５ｍｍの間隔をおいて互いに対面するよう配置された少なくとも２枚の板状部を有し、外部から観察することができる中空状の内層を有する細胞培養容器に培地および細胞を充填する充填工程と、
前記細胞培養容器に充填された前記細胞を培養する培養工程と、
前記細胞培養容器に取り付けられた前記培地を循環するための循環ライン内に設けられた送液ポンプにより前記循環ライン内の前記培地を送液することで前記循環ライン内の前記培地を循環する循環工程と、
前記循環ライン内に設けられ前記循環ライン内で循環される前記培地に含まれるガスと酸素濃度および、窒素濃度、二酸化炭素濃度、湿度からなる群から選択される少なくとも１以上が調整されたガスである調整用ガスとのガス交換をするための中空糸膜を有するガス交換手段によりガス交換するガス交換工程と、を有する細胞培養方法。
【請求項７】
前記充填工程における、前記細胞培養容器内の培地および細胞の充填率（培地および細胞の総量／内層の容量）は、９０容積％以上である、請求項６記載の細胞培養方法。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
扉枠と、
該扉枠の後に位置する本体枠と、
該本体枠の上方に設けられると共に該本体枠の側方に設けられた払出装置に遊技球を供給する球タンクと、
該球タンクに連通して該球タンク内の遊技球を前記払出装置に向けて流出させるタンクレールと、
該タンクレールに開設された異物排出可能な複数の落下口と、を備えてなる遊技機において、
前記タンクレールは、
底を形成する通路底壁と、
前記扉枠に近い側を前、反対側を後としたとき、前記通路底壁の前側に設けられた樋前壁と、
前記通路底壁の後側に設けられた樋後壁と、を備えており、
前記通路底壁と前記樋前壁との隅を内アール形状の弧状部にすると共に、前記通路底壁と前記樋後壁との隅を谷折り形状の角部とし、
さらに、前記複数の落下口の少なくとも一部を前記通路底壁と前記樋後壁との隅である前記谷折り形状の角部側に配置し、
さらに、前記内アール形状の弧状部を、所定の位置を起点に下流に向けて形成し、
前記所定の位置より下流の前記谷折り形状の角部側に前記落下口を設けた
ことを特徴とする遊技機。
【手続補正２】
【補正対象書類名】明細書
【補正対象項目名】０００５
【補正方法】変更
【補正の内容】
【０００５】
しかしながら、従来のタンクレールは、遊技機の不具合回避に際して十分な構成であるとは言えず、改善の余地があった。
【手続補正３】
【補正対象書類名】明細書
【補正対象項目名】０００７
【補正方法】変更
【補正の内容】
【０００７】
上記の目的を達成するため本発明は、
扉枠と、
該扉枠の後に位置する本体枠と、
該本体枠の上方に設けられると共に該本体枠の側方に設けられた払出装置に遊技球を供給する球タンクと、
該球タンクに連通して該球タンク内の遊技球を前記払出装置に向けて流出させるタンクレールと、
該タンクレールに開設された異物排出可能な複数の落下口と、を備えてなる遊技機において、
前記タンクレールは、
底を形成する通路底壁と、
前記扉枠に近い側を前、反対側を後としたとき、前記通路底壁の前側に設けられた樋前壁と、
前記通路底壁の後側に設けられた樋後壁と、を備えており、
前記通路底壁と前記樋前壁との隅を内アール形状の弧状部にすると共に、前記通路底壁と前記樋後壁との隅を谷折り形状の角部とし、
さらに、前記複数の落下口の少なくとも一部を前記通路底壁と前記樋後壁との隅である前記谷折り形状の角部側に配置し、
さらに、前記内アール形状の弧状部を、所定の位置を起点に下流に向けて形成し、
前記所定の位置より下流の前記谷折り形状の角部側に前記落下口を設けた
ことを特徴とする。
【手続補正４】
【補正対象書類名】明細書
【補正対象項目名】０００８
【補正方法】削除
【補正の内容】
【手続補正書】
【提出日】令和2年8月19日(2020.8.19)
【手続補正１】
【補正対象書類名】明細書
【補正対象項目名】００１２
【補正方法】変更
【補正の内容】
【００１２】
本実施形態にかかるプログラムは、コンピュータに対して、処理方法を実行させるプログラムであって、前記処理方法は、オーディオ信号用のフィルタの周波数特性を取得するステップと、前記周波数特性を平滑化して、平滑化特性を求めるステップと、前記平滑化特性のボトム位置に基づいて、複数の分割候補点を決定するステップと、前記複数の分割候補点に基づいて、１つ以上の帯域分割点を決定するステップと、を含むものである。
【手続補正２】
【補正対象書類名】明細書
【補正対象項目名】００６８
【補正方法】変更
【補正の内容】
【００６８】
ｓＦ’［ｗ］＊ｓＦ’［ｗ＋１］が０より小さくないと判定された場合（Ｓ１０５：ＮＯ）、あるいは、ｎをインクリメントした場合（Ｓ１１０）、ｗをインクリメントして、ループ処理を繰り返す（Ｓ１１１）。したがって、候補点決定部２１３は、全周波数点に対して、Ｓ１０５〜Ｓ１１０の処理を実施する。ここでは、ｗがＷｍａｘに到達するまで、候補点決定部２１３は、ｗのループ処理を継続する。これより、候補点決定部２１３が、平滑化特性の全ての極大値、及び極小値を抽出することができる。候補点決定部２１３は、全ての極値の周波数点、及び振幅値を記憶する。なお、平滑化特性が極大値の場合、ｖａｌｕｅ［ｎ］は正の値となり、平滑化特性が極小値の場合、ｖａｌｕｅ［ｎ］は負の値となる。
【手続補正３】
【補正対象書類名】図面
【補正対象項目名】図１
【補正方法】変更
【補正の内容】
【図１】
2019062430.tif 000001
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
スピーカ本体とスピーカ支持部材とが一体化されたスピーカモジュールと、
全体が前記スピーカ支持部材の外周縁に接するように、且つ、前記スピーカモジュールの一端側でかつ前記スピーカ本体の出音面側から、前記スピーカモジュールの他端側でかつ前記出音面とは反対側へかけて配置された密閉部材とを備える、
スピーカユニット。
【請求項２】
前記密閉部材は、前記スピーカ本体の外周に沿って設けられ一方の側が開口された弾性フレームと、前記弾性フレームの前記開口側に取り付けられた係合フレームとを備えており、
前記弾性フレームは前記スピーカ本体の前記出音面側に配置され、前記係合フレームは前記スピーカ本体の前記出音面とは反対側に配置されている、請求項１に記載のスピーカユニット。
【請求項３】
前記スピーカユニットはケースに取り付け可能であって、
前記スピーカ支持部材は、前記スピーカ本体の外周に沿って設けられ一方の側が開口されたフレームと、前記フレームの前記一方の側に突出した舌部とが設けられ、 
前記弾性フレームは、前記スピーカ本体の前記出音面側に配置されるとともに、前記スピーカ支持部材に付勢されることにより前記ケースと密着するように構成され、
前記係合フレームは、前記スピーカ本体の前記出音面とは反対側に配置されて、前記スピーカ支持部材の前記舌部に引っ掛けて固定されている、請求項２に記載のスピーカユニット。
【請求項４】
スピーカ本体とスピーカ支持部材とが一体化されたスピーカモジュールと、全体が前記スピーカ支持部材の外周縁に接するように、且つ、前記スピーカモジュールの一端側でかつ前記スピーカ本体の出音面側から、前記スピーカモジュールの他端側でかつ前記出音面とは反対側へかけて配置された密閉部材とを備える、スピーカユニットと、
前記スピーカユニットを収容するケースと、を備え、
前記スピーカユニットが前記ケースに装着された状態では、前記ケースの前記スピーカユニットを収容する空間が、前記密閉部材によって、前記スピーカ本体の出音面側の第１空間と、前記スピーカ本体の出音面側とは反対側の第２空間とに、気密に仕切られ、
前記ケースは、前記第１空間に面する壁部に、貫通孔が設けられている、
電子機器。
【請求項５】
前記密閉部材は、前記スピーカ本体の外周に沿って設けられ一方の側が開口された弾性フレームと、前記弾性フレームの前記開口側に取り付けられた係合フレームとを備えており、
前記弾性フレームは前記スピーカ本体の前記出音面側に配置され、前記係合フレームは前記スピーカ本体の前記出音面とは反対側に配置されている、請求項４に記載の電子機器。
【請求項６】
前記スピーカ支持部材は、前記スピーカ本体の外周に沿って設けられ一方の側が開口されたフレームと、前記フレームの前記一方の側に突出した舌部とが設けられ、
前記弾性フレームは、前記スピーカ本体の前記出音面側に配置されるとともに、前記スピーカ支持部材に付勢されることにより前記ケースと密着するように構成され、
前記係合フレームは、前記スピーカ本体の前記出音面とは反対側に配置されて、前記スピーカ支持部材の前記舌部に引っ掛けて固定されている、請求項５に記載の電子機器。
【請求項７】
前記密閉部材は、前記スピーカ本体の前面に重ならないように形成されている、
請求項４ないし請求項６のいずれか一項に記載の電子機器。
【請求項８】
前記スピーカ支持部材が前記ケースに取り付けられて、前記密閉部材が前記ケースへ向けて付勢される状態が保持されることによって、前記ケースの前記スピーカユニットを収容する空間が、前記第１空間と前記第２空間とが気密に仕切られる、
請求項４ないし請求項７のいずれか一項に記載の電子機器。
【請求項９】
前記ケースは、前記スピーカ支持部材が当該ケースに取り付けられた状態において、前記スピーカユニットを前記ケース側へと付勢する位置に形成された押当部を備える、
請求項４ないし請求項８のいずれか一項に記載の電子機器。
【請求項１０】
前記ケースに設けられた係合部と、前記スピーカ支持部材に設けられた被係合部とが係合することによって、前記スピーカ支持部材が前記ケースに取り付けられる、
請求項４ないし請求項９のいずれか一項に記載の電子機器。
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
記録媒体の同一領域に対してｎ（≧２）回の記録を重ねることで画像を形成するための画像処理装置であって、
閾値マトリクスを用いてディザ処理した場合に得られる各階調のドットパターンの分散性を示す閾値マトリクス特性に関する特性情報を保持する保持手段と、
前記特性情報に基づいて、画像データを前記ｎ回の記録走査のために分割することにより、前記ｎ回の記録走査ごとの記録量を表す記録データを設定する設定手段と、
前記ｎ回の記録それぞれの記録データに対して、前記閾値マトリクスを用いてディザ処理するハーフトーン処理手段と、
を有することを特徴とする画像処理装置。
【請求項２】
前記設定手段は、前記画像データが表す画像において、各画素の画素値をｎ回に均等に分割した後、前記ｎ回の記録走査のうち少なくとも１つの記録データを前記閾値マトリクス特性に基づいて更新することを特徴とする請求項１に記載の画像処理装置。
【請求項３】
前記設定手段は、前記ｎ回の記録走査のうち処理対象とする記録走査の記録データに対して探索範囲を設定し、前記閾値マトリクス特性において前記探索範囲で最も分散性が高い階調があるかどうかを判定し、最も分散性が高い階調がある場合は、前記処理対象とする記録走査の記録データを、最も分散性が高い階調により更新することを特徴とする請求項２に記載の画像処理装置。
【請求項４】
前記設定手段は、ｎ回目を除くｎ−１回目までの各記録走査に対し、前記閾値マトリクス特性に基づいて記録データを更新することを特徴とする請求項２または３に記載の画像処理装置。
【請求項５】
前記保持手段は、前記閾値マトリクスの階調毎の分散性評価値を前記特性情報として保持し、
前記設定手段は、前記分散性評価値を参照することにより、前記記録データを設定することを特徴とする請求項１乃至４の何れか一項に記載の画像処理装置。
【請求項６】
前記閾値マトリクスは、所定の間隔おきの複数の階調に対して高分散なドットパターンを実現できるように、値の異なる閾値が配置されたマトリクスであることを特徴とする請求項１乃至５の何れか一項に記載の画像処理装置。
【請求項７】
前記閾値マトリクスは、ブルーノイズ特性を有することを特徴とする請求項１乃至６の何れか一項に記載の画像処理装置。
【請求項８】
コンピュータを請求項１乃至７のいずれか１項に記載の画像処理装置の各手段として機能させるためのプログラム。
【請求項９】
記録媒体の同一領域に対してｎ（≧２）回の記録を重ねることで画像を形成するための画像処理方法であって、
閾値マトリクスを用いてディザ処理した場合に得られる各階調のドットパターンの分散性を示す閾値マトリクス特性に関する特性情報を保持し、
前記特性情報に基づいて、画像データを前記ｎ回の記録走査のために分割することにより、前記ｎ回の記録走査ごとの記録データを設定し、
前記ｎ回の記録それぞれの記録データに対して、前記閾値マトリクスを用いてディザ処理することを特徴とする画像処理方法。
【手続補正２】
【補正対象書類名】明細書
【補正対象項目名】０００７
【補正方法】変更
【補正の内容】
【０００７】
上記課題を解決するため本発明は、記録媒体の同一領域に対してｎ（≧２）回の記録を重ねることで画像を形成するための画像処理装置であって、閾値マトリクスを用いてディザ処理した場合に得られる各階調のドットパターンの分散性を示す閾値マトリクス特性に関する特性情報を保持する保持手段と、前記特性情報に基づいて、画像データを前記ｎ回の記録走査のために分割することにより、前記ｎ回の記録走査ごとの記録量を表す記録データを設定する設定手段と、前記ｎ回の記録それぞれの記録データに対して、前記閾値マトリクスを用いてディザ処理するハーフトーン処理手段と、を有することを特徴とする。